(57)【要約】  保護メモリからデータを回復するためのシステムおよび方法を提供する。その保護メモリシステムは、乗物の動作に関係するデータを記憶するためのメモリと、前述のメモリ内に記憶された前述のデータを、知的所有権のある形式から業界標準のシリアルデータ形式へと変換するように構成されたインターフェイスとを含む。保護メモリシステムからデータを伝送するための方法は、保護メモリシステムにデータリーダを結合するステップと、保護メモリシステムのメモリからデータを受け取るステップと、受け取ったデータを、前記データリーダによって決定される形式へと変換するステップと、変換したデータを前記データリーダに伝送するステップとを含む。【選択図】図１
2012522308.tif 000002
【特許請求の範囲】
【請求項１】
乗物の動作に関係するデータを記憶するためのメモリと、
前記メモリ内に記憶された前記データを、知的所有権のある形式から業界標準のシリアルデータ形式へと変換するように構成されたインターフェイスと
を備える、衝突保護メモリ（ＣＰＭ）システム。
【請求項２】
前記メモリが、広帯域音声データ、狭帯域音声データ、混合狭帯域音声データ、フライトデータ、およびデジタル通信メッセージデータのうちの少なくとも１つを記憶するように構成されている、請求項１記載の衝突保護メモリシステム。
【請求項３】
前記インターフェイスが、前記記憶されたデータを、パワーオーバーイーサネット（ＰｏＥ）形式、ユニバーサルシリアルバス（ＵＳＢ）形式、ＩＥＥＥ−１３９４ファイアワイヤ形式、およびシリアルアドバンストテクノロジアタッチメント（ＳＡＴＡ）形式のうちの少なくとも１つへと変換するようにさらに構成されている、請求項１記載の衝突保護メモリシステム。
【請求項４】
前記インターフェイスが、業界標準のシリアルデータ形式を使用し、前記記憶されたデータをリーダに伝送するようにさらに構成されている、請求項１記載の衝突保護メモリシステム。
【請求項５】
前記インターフェイスが、前記記憶されたデータをリーダに無線で伝送するようにさらに構成されている、請求項１記載の衝突保護メモリシステム。
【請求項６】
前記インターフェイスが、シリアルデータ形式バスのピン配列にそれぞれが対応する複数の終端部を備える、請求項１記載の衝突保護メモリシステム。
【請求項７】
保護メモリシステムからデータを伝送するための方法であって、
前記保護メモリシステムにデータリーダを結合するステップと、
前記保護メモリシステムのメモリからデータを受け取るステップと、
前記受け取ったデータを、前記データリーダによって決定される形式へと変換するステップと、
前記変換したデータを前記データリーダに伝送するステップと
を含む、方法。
【請求項８】
前記保護メモリシステムにデータリーダを結合するステップが、業界標準のシリアルデータコネクタを使用し、前記保護メモリシステムに前記データリーダを結合するステップを含む、請求項７記載の方法。
【請求項９】
前記保護メモリシステムにデータリーダを結合するステップが、所定の形式に関連する接続部に前記データリーダを結合するステップを含む、請求項７記載の方法。
【請求項１０】
前記保護メモリシステムのメモリからデータを受け取るステップが、広帯域音声、狭帯域音声、混合狭帯域音声、フライトデータ、およびデジタル通信メッセージのうちの少なくとも１つを受け取るステップを含む、請求項７記載の方法。
【請求項１１】
前記保護メモリシステムのメモリからデータを受け取るステップが、タイムスタンプを含むデータを受け取るステップを含む、請求項７記載の方法。
【請求項１２】
前記受け取ったデータを変換するステップが、前記受け取ったデータを、パワーオーバーイーサネット（ＰｏＥ）形式、ユニバーサルシリアルバス（ＵＳＢ）形式、ＩＥＥＥ−１３９４ファイアワイヤ形式、およびシリアルアドバンストテクノロジアタッチメント（ＳＡＴＡ）形式のうちの少なくとも１つへと変換するステップを含む、請求項７記載の方法。
【請求項１３】
前記受け取ったデータを変換するステップが、前記受け取ったデータをシリアルデータ形式へと変換するステップを含む、請求項７記載の方法。
【請求項１４】
前記受け取ったデータを変換するステップが、前記受け取ったデータの少なくとも一部分を圧縮状態から解凍状態へと変換するステップを含む、請求項７記載の方法。
【請求項１５】
前記変換したデータを前記データリーダに伝送するステップが、前記変換したデータを解凍状態で伝送する、請求項１４記載の方法。
【請求項１６】
前記変換したデータを前記データリーダに伝送するステップが、前記変換したデータを圧縮状態で伝送する、請求項７記載の方法。
【請求項１７】
複数のデータ信号を受け取り、記憶用に一連のデータパケットを生成するように構成されたデータ取得ユニットと、
衝突保護メモリシステムと
を備える、フライトデータレコーダであって、前記衝突保護メモリシステムが、
乗物の動作に関係するデータを記憶するためのメモリと、
前記メモリ内に記憶された前記データを、知的所有権のある形式から業界標準のシリアルデータ形式へと変換するように構成されたインターフェイスと
を備える、フライトデータレコーダ。
【請求項１８】
前記メモリが、広帯域音声データ、狭帯域音声データ、混合狭帯域音声データ、フライトデータ、およびデジタル通信メッセージデータのうちの少なくとも１つを記憶するように構成されている、請求項１７記載の衝突保護メモリシステム。
【請求項１９】
前記インターフェイスが、前記記憶されたデータを、パワーオーバーイーサネット（ＰｏＥ）形式、ユニバーサルシリアルバス（ＵＳＢ）形式、ＩＥＥＥ−１３９４ファイアワイヤ形式、およびシリアルアドバンストテクノロジアタッチメント（ＳＡＴＡ）形式のうちの少なくとも１つへと変換するようにさらに構成されている、請求項１７記載の衝突保護メモリシステム。
【請求項２０】
前記インターフェイスが、業界標準のシリアルデータ形式を使用し、前記記憶されたデータをリーダに伝送するようにさらに構成されている、請求項１７記載の衝突保護メモリシステム。
【発明の詳細な説明】
【技術分野】
【０００１】
本発明の分野は、一般に衝突保護メモリ（ＣＰＭ）に関し、より具体的には、異常事象の後にＣＰＭ内に記憶されたデータをダウンロードするためのシステムおよび方法に関する。
【背景技術】
【０００２】
現代のクラッシュレコーダは、乗物の動作データおよびパフォーマンスデータ、ならびに複数の客室の音源および映像源を記録することが求められる。データ源および信号源の量と帯域幅が増えるにつれて、クラッシュレコーダのＣＰＭ部分に出入りするデータ帯域幅は増え続ける。さらに、衝突で生き残るための要件により、衝突事象にしばしば関連する高温火災の、ＣＰＭ内の電子装置に対する影響を減らすために、ＣＰＭに出入りする電気信号経路の数を最小限に留めることが必要とされる。
【０００３】
現在のＣＰＭは、１２本以上の導体を使用する、知的所有権のある電気的インターフェイスを利用する。異常事象に巻き込まれる可能性がある様々なタイプのＣＰＭの各々を読み取るために、調査機関によって各タイプのＣＰＭ用の専用データリーダが維持されていることが必要である。さらに、その数本の導電体は、衝突事象などの異常事象に多くの場合関連する火災からの過度の熱を伝えもする。その過度の熱はＣＰＭ内部の回路内に伝達し、その回路内に記憶されたデータに危険をもたらす。
【先行技術文献】
【特許文献】
【０００４】
【特許文献１】オーストラリア特許第２００４１０００７７号
【発明の概要】
【課題を解決するための手段】
【０００５】
一実施形態では、保護メモリからデータを回復するためのシステムは、乗物の動作に関係するデータを記憶するためのメモリと、前述のメモリ内に記憶された前述のデータを、知的所有権のある形式から業界標準のシリアルデータ形式へと変換するように構成されたインターフェイスとを含む。
【０００６】
別の実施形態では、保護メモリシステムからデータを伝送するための方法は、保護メモリシステムにデータリーダを結合するステップと、保護メモリシステムのメモリからデータを受け取るステップと、その受け取ったデータを、データリーダによって決定される形式へと変換するステップと、その変換したデータをデータリーダに伝送するステップとを含む。
【０００７】
さらに別の実施形態では、フライトデータレコーダは、複数のデータ信号を受け取り、記憶用に一連のデータパケットを生成するように構成されたデータ取得ユニットと、乗物の動作に関係するデータを記憶するためのメモリを含む衝突保護メモリシステムと、前述のメモリ内に記憶された前述のデータを、知的所有権のある形式から業界標準のシリアルデータ形式へと変換するように構成されたインターフェイスとを含む。
【０００８】
図１〜２は、本明細書に記載するシステムおよび方法の例示的実施形態を示す。
【図面の簡単な説明】
【０００９】
【図１】本発明の例示的実施形態によるフライトデータレコーダの概略的ブロック図である。
【図２】本発明の例示的実施形態による、保護メモリシステムからデータを伝送するための方法の流れ図である。
【発明を実施するための形態】
【００１０】
以下の詳細な説明は、本発明の諸実施形態を限定としてではなく例として示す。本発明は、工業的応用、商業的応用、および住宅応用において、保護メモリ上に記憶されたデータをダウンロードするためのシステムおよび方法への一般的応用を有することが企図されている。
【００１１】
本明細書で使用するとき、単数形で説明され、「ａ」または「ａｎ」という単語の後に続く要素またはステップは、複数形の要素またはステップを除外することが明確に説明されていない限り、複数形の要素またはステップを除外するものではないと理解すべきである。さらに、本発明の「一実施形態」について言及することは、列挙する特徴を同様に含むさらなる実施形態があることを除外するものとして解釈されることを目的とするものではない。
【００１２】
図１は、本発明の例示的実施形態によるフライトデータレコーダ１００の概略的ブロック図である。この例示的実施形態では、フライトデータレコーダ１００は、複数のデータ信号１０４を受け取り、記憶用に一連のデータパケット１０６を生成するように構成されたデータ取得ユニット１０２を含む。データパケット１０６は、データ部分１０８を含み、その一連の中のデータパケット１０６のうちの少なくとも１つは誤り検査部分１１０を含む。フライトデータレコーダ１００は、導管１１３を介しておよび入出力回路１１５を適宜介してデータ取得ユニット１０２に通信可能に結合される衝突保護メモリ（ＣＰＭ）１１２を含む。この例示的実施形態では、ＣＰＭ１１２は、乗物（不図示）の動作に関係するデータを記憶するために使用されるメモリデバイス１１４を含む。ＣＰＭ１１２は、メモリ内に記憶されたデータを、知的所有権のある形式から業界標準のシリアルデータ形式へと変換するように構成されたインターフェイス１１６も含む。本明細書で使用するとき、業界標準とは、これだけに限定されないが、コード変換、回線割当、プロトコル準拠、またはこれだけに限定されないが、通常は異なる複数のシステムまたは機器の間で情報を交換できるようにするために必要な電気的特性、機械的特性、光学的特性などの物理的特性など、１つまたは複数の機能的特性を示す標準である。
【００１３】
一実施形態では、メモリデバイス１１４は、広帯域音声データ、狭帯域音声データ、混合狭帯域音声データ、フライトデータ、およびデジタル通信メッセージデータのうちの少なくとも１つを記憶するように構成される。広帯域音声データは、例えば乗物の操縦室の中で録音される音声を含むことができ、そのため、様々な音源からの幅広い音を録音することができる。例えば操縦室の中のマイクロホンからの狭帯域音声データは、異常事象中の重要な会話の正確な記録を得るために録音することができる。
【００１４】
インターフェイス１１６は、記憶されたデータを、業界標準のシリアルデータ形式、例えばこれだけに限定されないが、パワーオーバーイーサネット（商標）（ＰｏＥ）形式、ユニバーサルシリアルバス（ＵＳＢ）形式、ＩＥＥＥ−１３９４ファイアワイヤ形式、およびシリアルアドバンストテクノロジアタッチメント（ＳＡＴＡ）形式へと変換するように構成される。データ伝送プロトコルのさらなる形式も使用することができる。インターフェイス１１６は、リーダ１２０に固有の形式である業界標準のシリアルデータ形式を使用し、記憶されたデータをリーダ１２０に伝送するようにさらに構成される。インターフェイス１１６は、リーダ１２０に固有の通信プロトコルを検出し、メモリデバイス１１４内に記憶されたデータをその固有のプロトコルへと変換することができる。このようにして、異常事象を調査する調査機関は、フライトデータレコーダ１００の製造業者によって供給される知的所有権のあるリーダを使用する必要なしに、メモリデバイス１１４内に記憶されたデータを取り出すことができる。様々な実施形態において、インターフェイス１１６は、記憶されたデータをリーダ１２０に無線で伝送するようにさらに構成される。異常事象の間、火災または熱事象が導管１１３をＣＰＭ１１２から焼き落とす場合がある。そのような場合、メモリデバイス１１４の中に記憶されたデータを回復する間、リーダ１２０から命令信号を伝送し、インターフェイス１１６からデータを受け取るために、新たな導線のピグテールをインターフェイス１１６に取り付けなければならない可能性がある。インターフェイス１１６とリーダ１２０とが任意の業界標準のシリアルデータ形式を使用して通信できるように、インターフェイス１１６は、シリアルデータ形式バスのピン配列にそれぞれが対応する複数の終端部を含む。
【００１５】
パワーオーバーイーサネット（商標）（ＰｏＥ）、ユニバーサルシリアルバス（ＵＳＢ）、ＩＥＥＥ−１３９４ファイアワイヤ、シリアルアドバンストテクノロジアタッチメント（ＳＡＴＡ）など、業界標準のシリアルデータインターフェイスおよび電力インターフェイスのこの独特の応用例は、物理的な導電体を４本から６本しか利用しない一方で、所要のデータ帯域幅を使用可能にする。現在の衝突保護メモリは、１２本以上の導電体を必要とする、知的所有権のある電気的インターフェイスを利用する。これらの導電体はさらに、衝突事象などの異常事象に多くの場合関連する火災からの熱をＣＰＭ１１２内部の回路内に伝達し、メモリデバイス１１４内に記憶されたデータに危険をもたらす。また、これらの知的所有権のある電気的インターフェイスは、使用中の衝突保護メモリのすべてのバージョンについて、専用の読出しハードウェアを維持することを必要とし、調査機関にとって調査をより困難にする。
【００１６】
図２は、本発明の例示的実施形態による、保護メモリシステムからデータを伝送するための方法２００の流れ図である。この例示的実施形態では、方法２００は、保護メモリシステムにデータリーダを結合するステップ２０２と、保護メモリシステムのメモリからデータを受け取るステップ２０４とを含む。受け取られるデータは、例えばこれだけに限定されないが、広帯域音声、狭帯域音声、混合狭帯域音声、フライトデータ、およびデジタル通信メッセージとすることができる。方法２００は、その受け取ったデータを、シリアルデータ形式、例えばパワーオーバーイーサネット（商標）（ＰｏＥ）形式、ユニバーサルシリアルバス（ＵＳＢ）形式、ＩＥＥＥ−１３９４ファイアワイヤ形式、シリアルアドバンストテクノロジアタッチメント（ＳＡＴＡ）形式など、データリーダによって決定される形式へと変換するステップ２０６と、その変換したデータをデータリーダに伝送するステップ２０８とも含む。この例示的実施形態では、データリーダは、業界標準のシリアルデータコネクタを使用して保護メモリシステムに結合される。代替的実施形態では、データリーダは、所定の形式に関連する接続部に結合される。様々な実施形態において、受け取られるデータはタイムスタンプを含む。受け取られるデータは、圧縮状態で記憶することができ、そのためインターフェイスはその圧縮データを変換することができ、またはそのデータを解凍してからリーダに伝送することができる。
【００１７】
本明細書で使用するとき、用語プロセッサは、中央処理装置、マイクロプロセッサ、マイクロコントローラ、縮小命令セット回路（ＲＩＳＣ）、特定用途向け集積回路（ＡＳＩＣ）、論理回路、および本明細書に記載の機能を実行することができる他の任意の回路またはプロセッサを指す。
【００１８】
本明細書で使用するとき、用語「ソフトウェア」と「ファームウェア」とは置き換えることができ、プロセッサ１１９が実行するためにメモリ内に記憶される任意のコンピュータプログラムを含む。プロセッサ１１９は、ＣＰＭ１１２内で使用することができ、またはＣＰＭ１１２の要件にもよるがなくてもよい。
【００１９】
本明細書で使用するとき、用語メモリには、ＲＡＭメモリ、ＲＯＭメモリ、ＥＰＲＯＭメモリ、ＥＥＰＲＯＭメモリ、および不揮発性ＲＡＭ（ＮＶＲＡＭ）メモリが含まれ得る。上記のメモリの種類は例示的に過ぎず、したがって、フライトデータレコーダ１００とともに使用可能なメモリの種類に関して限定するものではない。
【００２０】
上記の詳述に基づいて理解されるように、上記に記載した本開示の諸実施形態は、コンピュータソフトウェア、ファームウェア、ハードウェア、またはそれらの任意の組合せもしくはサブセットを含む、コンピュータプログラミング技法またはエンジニアリング技法を使用して実装することができ、その技術的効果は、業界標準のシリアルデータインターフェイスの電気的部分およびプロトコル部分を応用して、最小数の導電体により所要のデータ帯域幅を可能にし、調査機関ならびに製造過程および流通拠点（ｄｅｐｏｔ）支援過程に関してＣＰＭ１１２のサポート性を高めることである。その結果生じるコンピュータ可読コード手段を有するそのような任意のプログラムは、１つまたは複数のコンピュータ可読媒体の中に具体化しまたは与え、それによりコンピュータプログラム製品、すなわち論じられた本開示の諸実施形態による製造品を作成することができる。そのコンピュータ可読媒体は、これだけに限定されないが、例えば固定（ハード）ドライブ、ディスケット、光ディスク、磁気テープ、読取り専用メモリ（ＲＯＭ）などの半導体メモリ、および／またはインターネットや他の通信ネットワークもしくはリンクなどの任意の送信／受信媒体とすることができる。このコンピュータコードを含む製造品は、ある媒体からコードを直接実行することにより、ある媒体から別の媒体にコードをコピーすることにより、またはネットワークを介してコードを伝送することにより、作成しかつ／または使用することができる。
【００２１】
保護メモリシステムからデータを伝送するための上記に記載したシステムおよび方法の諸実施形態は、業界標準のインターフェイスを使用して保護メモリシステムからデータを回復するための費用効果が高く高信頼の手段を提供する。より具体的には、本明細書に記載したシステムおよび方法は、調査機関が保護メモリシステムからデータを回復するために必要な、いくつかの知的所有権のあるいくつかのリーダを減らすことを助ける。その結果、本明細書に記載したシステムおよび方法は、異常事象を調査する間のデータ回復を、費用効果が高く高信頼の方法で促進する。
【００２２】
過酷な環境にさらされる保護メモリシステムからデータを伝送するための例示的システムおよび方法を上記に詳述した。示したシステムは本明細書に記載した特定の実施形態に限定されず、むしろ各々のコンポーネントは、本明細書に記載した他のコンポーネントから独立にかつ別々に利用することができる。各システムコンポーネントは、他のシステムコンポーネントと組み合わせて使用することもできる。
【００２３】
本書は、最良の形態を含む本発明を開示するために、さらに任意の装置またはシステムを作成／使用し、任意の組み込まれた方法を実行することを含めて、当業者が本発明を実施できるようにするために複数の例を使用する。特許性のある本発明の範囲は、特許請求の範囲によって定義し、当業者なら思いつく他の例を含むことができる。そうした他の例が特許請求の範囲の文言と相違ない構造的要素を有する場合、またはそうした他の例が、特許請求の範囲の文言との相違がごくわずかな等価の構造的要素を含む場合、そうした他の例も特許請求の範囲に含まれることを意図する。
【符号の説明】
【００２４】
１００  フライトデータレコーダ
１０２  データ取得ユニット
１０４  データ信号
１０６  データパケット
１０８  データ部分
１１０  誤り検査部分
１１２  衝突保護メモリ（ＣＰＭ）
１１３  導管
１１４  メモリデバイス
１１５  入出力回路
１１６  インターフェイス
１１９  プロセッサ
１２０  リーダ
【図１】
2012522308.tif 000003
【図２】
2012522308.tif 000004
【国際調査報告】
2012522308.tif 000005
2012522308.tif 000006